(57)【要約】 【課題】  (1) 屋内にいながら防犯装置を設置していることを常に意識でき、(2) 屋内にいながら屋外に向かって発光ダイオードの点滅動作が適正になされていることが確実に判断できる窓及び扉用防犯装置を提供すること。【解決手段】  窓や扉のガラス面の屋外側から透視可能に屋内面側に取り付けられる防犯装置であって、発光ダイオード２０及びこれを点滅駆動する点滅駆動回路２を備えており、前記発光ダイオード２０の点滅が屋内及び屋外側から視認可能に配置されている。発光ダイオード２０及びこれを点滅駆動せしめる点滅駆動回路２はケース１内に収容されており、前記発光ダイオード２０を被うケース部分は透明又は半透明としてある。点滅駆動回路２を駆動させるための電源は、小型電池Ｄである。【選択図面】  図１
0003111332.tif 000002
【実用新案登録請求の範囲】
【請求項１】
窓や扉のガラス面の屋外側から透視可能に屋内面側に取り付けられる防犯装置であって、発光ダイオード及びこれを点滅駆動する点滅駆動回路を備えており、前記発光ダイオードの点滅が屋内及び屋外側から視認可能に配置されていることを特徴とする窓及び扉用防犯装置。
【請求項２】
発光ダイオード及びこれを点滅駆動せしめる点滅駆動回路はケース内に収容されており、前記発光ダイオードを被うケース部分は透明又は半透明としてあることを特徴とする請求項１記載の窓及び扉用防犯装置。
【請求項３】
点滅駆動回路を駆動させるための電源は、小型電池であることを特徴とする請求項１又は２記載の窓及び扉用防犯装置。
【請求項４】
点滅駆動回路は、発光ダイオードと、前記発光ダイオードに並列接続されたコンデンサーと、前記コンデンサーの端子間電圧を監視するオープンドレイン出力の電圧検出器と、前記電圧検出器の出力でトリガーされ且つＣＭＯＳゲートで構成される単安定マルチバイブレータと、前記単安定マルチバイブレータの出力で前記発光ダイオードに供給される電流を制御するスイッチング素子とを備え、発光ダイオードにおける点灯時間は単安定マルチバイブレータの出力パルス幅により、消灯時間はコンデンサーの端子間電圧が前記電圧検出器の検出電圧に低下するまでの時間により、それぞれ規定されるものとしてあることを特徴とする請求項１乃至３のいずれかに記載の窓及び扉用防犯装置。
【考案の詳細な説明】
【技術分野】
【０００１】
この考案は、窓や扉における透明又は半透明の部分（主としてガラス面）の屋内面側に取り付け、侵入者が屋内へ侵入するのを防止するための窓及び扉用防犯装置に関するものである。
【背景技術】
【０００２】
近年、犯罪が凶悪化する中、様々な防犯装置が開発されているが、まさに侵入しようとしている者に対して、侵入を監視していることを知らしめることにより、侵入を思い止まらせることが極めて有効な手段であると言われている（例えば、特許文献１。）。
【０００３】
このような事前通告で威嚇する防犯手段としては、例えば、「防犯装置が設置されていることを記載したステッカー」を貼付したり、防犯装置が作動中であることを侵入者に知らしめる点滅する発光ダイオードを備えた機器を玄関先に設置したりする等が考えられるが、前者は最も監視が必要である夜間においてステッカーが視認しずらい又は視認できないことから、後者の如き玄関先の壁面等に防犯装置を設置することが最も有効であると考えられている。
【０００４】
ところが、この種の防犯装置では、設置したものの、設置したこと自体を忘れていることが多く、点滅動作の確認などはほど遠いものとなっていることが多い。これでは実質的に有効に防犯装置が機能していないことと同等であると言える。
【０００５】
したがって、この種の防犯装置を取り扱う業界では、(1) 屋内において防犯装置を設置していることを常に意識でき、(2) 屋外に向かって発光ダイオードの点滅動作が適正になされていることが屋内にいながら確実に判断できる窓及び扉用防犯装置が開発されることを待ち望んでいる。
【特許文献１】特開２００２−１４０７７２
【考案の開示】
【考案が解決しようとする課題】
【０００６】
そこでこの考案では、(1) 屋内において防犯装置を設置していることを常に意識でき、(2) 屋外に向かって発光ダイオードの点滅動作が適正になされていることが屋内にいながら確実に判断できる窓及び扉用防犯装置を提供することを課題とする。
【課題を解決するための手段】
【０００７】
（請求項１記載の考案）
この考案の窓及び扉用防犯装置は、窓や扉のガラス面の屋外側から透視可能に屋内面側に取り付けられる防犯装置であって、発光ダイオード及びこれを点滅駆動する点滅駆動回路を備えており、前記発光ダイオードの点滅が屋内及び屋外側から視認可能に配置されている。
（請求項２記載の考案）
この考案の窓及び扉用防犯装置は、上記請求項１記載の発明に関し、発光ダイオード及びこれを点滅駆動せしめる点滅駆動回路はケース内に収容されており、前記発光ダイオードを被うケース部分は透明又は半透明としてある。
（請求項３記載の考案）
この考案の窓及び扉用防犯装置は、上記請求項１又は２記載の発明に関し、点滅駆動回路を駆動させるための電源は、小型電池である。
（請求項４記載の考案）
この考案の窓及び扉用防犯装置は、上記請求項１乃至３のいずれかに記載の発明に関し、点滅駆動回路は、発光ダイオードと、前記発光ダイオードに並列接続されたコンデンサーと、前記コンデンサーの端子間電圧を監視するオープンドレイン出力の電圧検出器と、前記電圧検出器の出力でトリガーされ且つＣＭＯＳゲートで構成される単安定マルチバイブレータと、前記単安定マルチバイブレータの出力で前記発光ダイオードに供給される電流を制御するスイッチング素子とを備え、発光ダイオードにおける点灯時間は単安定マルチバイブレータの出力パルス幅により、消灯時間はコンデンサーの端子間電圧が前記電圧検出器の検出電圧に低下するまでの時間により、それぞれ規定されるものとしてある。
【考案の効果】
【０００８】
この考案の窓及び扉用防犯装置では、屋内において防犯装置を設置していることを常に意識でき、(2) 屋外に向かって発光ダイオードの点滅動作が適正になされていることが屋内にいながら確実に判断できる。
【考案を実施するための最良の形態】
【０００９】
以下にこの考案の窓及び扉用防犯装置を実施するための最良の形態としての実施例について詳細に説明する。
【００１０】
図１はこの考案の実施例の窓及び扉用防犯装置Ｂの外観斜視図、図２は前記窓及び扉用防犯装置Ｂの発光ダイオードの点滅駆動回路２の図、図３は前記窓及び扉用防犯装置Ｂをアルミサッシ窓９に装着した状態を示す斜視図、図４は前記窓及び扉用防犯装置Ｂをアルミサッシ窓９に装着した状態を示す平面図を示している。
（この窓及び扉用防犯装置Ｂについて）
この窓及び扉用防犯装置Ｂは、図１に示すように、縦寸法：１２０ｍｍ、横寸法：３５ｍｍ、厚み寸法：８ｍｍという薄型で且つ小型の樹脂製ケース１により構成されており、前記樹脂製ケース１は、最上端部に位置する透明ケース１０ (半透明のケースでもよい）と、最上端部以外の不透明ケース１１から形成されている。
【００１１】
不透明ケース１１内には、図１に示すように、侵入検知回路（「窓が開く」や「窓ガラスへの衝撃力や破壊があった」場合に侵入とみなしてアラーム駆動回路に出力信号を発する）、アラーム駆動回路（侵入検知回路からの出力信号により駆動状態になる）、及び発光ダイオードの点滅駆動回路２が配置されたプリント基板２９が収容されており、また前記アラーム駆動回路からの出力信号により継続して警報音を発するアラーム発生部（図示せず）を具備させてある。
【００１２】
透明ケース１０内には、図１に示すように、不透明ケース１１の上端から貫通突出させた発光ダイオード２０が臨むように構成されており、前記発光ダイオード２０の点滅が透明ケース１０を介して厚み方向の両側、すなわち屋内側及び屋外側から視認できるようにしてある。
【００１３】
また、この窓及び扉用防犯装置では、図１に示すように上記不透明ケース１１内に、電源である小容量の小型電池Ｄ（例えば、円形状の薄型電池）を交換可能に収容する形態を採っており、全体として数百ｇ程度の軽量なものとしてある。
【００１４】
なお、図１中、符号１８で示したものは音孔であり、符号１９で示したものはスイッチである。
（この発光ダイオードの点滅駆動回路２について）
この発光ダイオードの点滅駆動回路２は、図２に示すように、１個の発光ダイオード２０と、前記発光ダイオード２０に並列接続されたコンデンサー２１と、前記コンデンサー２１の端子間電圧を監視するオープンドレイン出力の電圧検出器２２と、前記電圧検出器２２の出力でトリガーされ、且つＣＭＯＳゲート２３ａで構成され単安定マルチバイブレータ２３と、前記単安定マルチバイブレータ２３の出力で発光ダイオード２０に供給される電流を制御するスイッチング素子２４とを備えるものとしている。尚、当該回路中、符号Ｒで示されるものは抵抗である。
【００１５】
ここで、この発光ダイオードの点滅駆動回路２では、当該回路２を構成する各構成部品が以下の(1) 〜(4) に示すように機能することにより発光ダイオード２０は点滅する。
(1) 発光ダイオード２０の点灯時
発光ダイオード２０が点灯しているのは、単安定マルチバイブレータ２３の出力の時間（パルス幅が小さいパルスを発生している時間）だけである。
(2) 発光ダイオード２０の消灯時                                                    上記パルスの発生時間が終了すると、その後、発光ダイオード２０に並列接続されたコンデンサー２１の端子電圧も発光ダイオード２０の順方向電圧に等しくなり、スイッチング素子２４から供給される発光ダイオード２０への電流が停止する。このときコンデンサー２１に蓄積された電荷の一部が極めて短期間だけ発光ダイオード２０に供給されることとなるが、コンデンサー２１の端子間電圧が発光ダイオート２０の順方向電圧以下になると、コンデンサー２１に蓄積された電荷は、前記の電圧検出器２２の入力端子のリーク電流として徐々に放電される。
(3) 発光ダイオード２０の点灯時
ここで、コンデンサー２１の端子間電圧が前記の電圧検出器２２の検出電圧に達すると、この電圧検出器２２はその出力を反転し、次段の単安定マルチバイブレータ２３をトリガーする。このトリガーによって、単安定マルチバイブレータ２３はパルス幅が小さいパルスを発生し、スイッチング素子２４を制御して、再び、発光ダイオード２０を点灯する。
(4) 上記(1) 〜(3) の動作が繰り替えされて、発光ダイオード２０の点滅が行われる。すなわち、この発光ダイオードの点滅駆動回路２では、発光ダイオード２０の点灯時間は「単安定マルチバイブレータ２３の出力パルス幅」により規定され、発光ダイオード２０の消灯時間は「コンデンサー２１の端子間電圧が電圧検出器２２の検出電圧に低下するまでの時間」により規定されている。
【００１６】
この発光ダイオードの点滅駆動回路２は上記のような構成を採っているから以下に示すような優れた機能を有している。
【００１７】
この発光ダイオードの点滅駆動回路２では、上述した如く発光ダイオード２０における「点灯時間は単安定マルチバイブレータ２３の出力パルス幅」により、「消灯時間はコンデンサー２１の端子間電圧が前記電圧検出器２２の検出電圧に低下するまでの時間」により、それぞれ規定されるものであり、電圧検出器２２の出力がＣＭＯＳ構造ではないため、出力反転時に貫通電流が流れないので、ダイオード点滅駆動回路２の消費電流は小さく、且つ、発光ダイオード２０による平均消費電流を小さくするために、デューティファクター（デューティ係数）を小さくしている。したがって、電源が小型電池であっても長期間確実に使用できることになる。
【００１８】
なお、実際に先行技術である図５に示す発光ダイオードの点滅駆動回路２’と、この実施例の発光ダイオードの点滅駆動回路２について、発光ダイオード２０に供給する電流を除いた駆動回路での消費電流の比を調べてみると、約２０：１という結果がでた。
（この窓及び扉用防犯装置Ｂの使用について）
この窓及び扉用防犯装置Ｂは、図３や図４に示すように例えばアルミサッシ窓９のガラス面内側に発光ダイオード２０が外部から見える態様で取り付けておく。
【００１９】
この窓及び扉用防犯装置Ｂによると、以下に示すような優れた効果を得ることができる。
(1) この窓及び扉用防犯装置Ｂは、図３に示すように、屋内側のガラス面に取り付けられている（特に発光ダイオード２０が点滅している）ので、屋内にいながら防犯装置を設置していることを常に意識できる。
(2) １個の発光ダイオード２０の点滅が屋内及び屋外から視認できるようにしてあるから、屋外に向かって発光ダイオードが点滅しているか否かを屋内にいながら確実に判断できる。
(3) この窓及び扉用防犯装置Ｂは、縦寸法：１２０ｍｍ、横寸法：３５ｍｍ、厚み寸法：８ｍｍという薄型で且つ小型であり、さらに、電源を小型電池としているので、家庭用電源の如き設置場所を制限されず、また配線が無いので見栄えを悪くするようなこともない。
(4) この窓及び扉用防犯装置Ｂは、縦寸法：１２０ｍｍ、横寸法：３５ｍｍ、厚み寸法：８ｍｍという薄型で且つ小型であるから全体重量が小さく、その結果、両面テープ等により窓ガラスに簡単に貼り付けることができる。
(5) 上述した如く電源が小型電池であっても長期間確実に使用できるから、経済性に優れている。
(6) この窓及び扉用防犯装置Ｂは、スイッチ（図示せず）がＯＮされると、発光ダイオード２０の点滅駆動回路２が作動し、発光ダイオード２０の点滅が外部より視認できるようになる。特に防犯装置が設置されていることを記載したステッカーが見えない夜間においては、不審な侵入者に対する心理的効果が大きく（侵入を監視していると思わせることによる）、侵入を思い止まらせることが極めて有効にできる。
(7) 侵入者が窓を開けたり、ガラスを割ったり、ガラスへ衝撃力を加えたことにより、侵入検知回路が作動したときは、ブザー音の発生と同時に発光ダイオード２０の点滅周期を４Ｈｚ程度に早めるようにすれば、侵入者に対して視覚的にも聴覚的にも威嚇効果を高めることができる。
（その他）
上記実施例では、窓及び扉用防犯装置Ｂは図２や図４に示す形態の窓に設置するものとしてあるが、窓及び扉用防犯装置Ｂが設置される窓の形態はこれに限定されるものではない。
【００２０】
当然のことではあるが、この窓及び扉用防犯装置Ｂは、一部をガラスで構成した扉においても使用できる。
【００２１】
上記実施例では窓及び扉用防犯装置Ｂに使用されている発光ダイオード２０の数を１個としてあるが、これに限定されることなく、複数個でもよい。要するに、屋内及び屋外で発光ダイオード２０を視認できるようにすればよいのである。
【図面の簡単な説明】
【００２２】
【図１】この考案の実施例の発光ダイオードの点滅駆動回路を用いた窓及び扉用防犯装置の斜視図。
【図２】前記発光ダイオードの点滅駆動回路の図。
【図３】前記窓及び扉用防犯装置をアルミサッシ窓に装着した状態を示す斜視図。
【図４】前記窓及び扉用防犯装置をアルミサッシ窓に装着した状態を示す平面図。
【図５】比較対象する発光ダイオードの点滅駆動回路の図。
【符号の説明】
【００２３】
Ｂ          窓及び扉用防犯装置
１          樹脂ケース
１０        透明ケース
１１        不透明ケース
２          発光ダイオードの点滅駆動回路
２０        発光ダイオード
２１        コンデンサー
２２        電圧検出器
２３        単安定マルチバイブレータ
２３ａ      ＣＭＯＳゲート
２９        基板
９          アルミサッシ窓
【図１】
0003111332.tif 000003
【図２】
0003111332.tif 000004
【図３】
0003111332.tif 000005
【図４】
0003111332.tif 000006
【図５】
0003111332.tif 000007